【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
組成物であって、
Ａ）Ｓｉと結合する少なくとも１つの加水分解性基を有する、少なくとも１種のアミノシラン、
Ｂ）Ｓｉと結合する少なくとも１つの加水分解性基を有する、少なくとも１種のメルカプトシラン、及び、
Ｃ）ピロリドン、プロピオンアミド及びアミノアルコール反応生成物から選択される、少なくとも１種の乳化剤であって、
少なくとも１種のアミノアルコール反応生成物を乳化剤として使用する場合、アミノアルコール、並びにアミノシラン及び／又はメルカプトシランの少なくとも一部が、アミノアルコール反応生成物の形態で含まれ、該アミノアルコール反応生成物中、前記少なくとも１種のアミノシラン及び前記少なくとも１種のメルカプトシランに存在する前記加水分解性基の少なくとも幾つかが、前記アミノアルコールのアミノアルコラート基で置き換えられている、乳化剤、及び／又は、
Ｄ）含まれる前記シランの加水分解生成物及び／又は縮合生成物、
を含む、組成物。
【請求項２】
前記少なくとも１種の乳化剤が、
Ｎ−Ｃ１〜７−アルキル−２−ピロリドン、Ｎ−シクロアルキル−２−ピロリドン、
式Ｒ６−Ｃ（Ｏ）ＮＲ７２（式中、Ｒ６は置換又は非置換のエチル基であり、Ｒ７は互いに独立してＨ又はＣ１〜４−アルキル基である）のプロピオンアミド、又は、
エタノールアミン、ジエチレングリコールアミン、Ｎ−（β−アミノエチル）−アミノエタノール、ジエタノールアミン及びＮ−メチル−ジエタノールアミンから選択されるアミノアルコールのアミノアルコール反応生成物、
から選択されることを特徴とする、請求項１に記載の組成物。
【請求項３】
前記少なくとも１種の乳化剤が、Ｎ−メチル−２−ピロリドン、Ｎ−エチル−２−ピロリドン、Ｎ−シクロヘキシル−２−ピロリドン、及びジエチレングリコールアミンのアミノアルコール反応生成物から選択されることを特徴とする、請求項１又は２に記載の組成物。
【請求項４】
前記アミノアルコール反応生成物が含まれ、前記組成物中に含まれる前記アミノシラン及びメルカプトシランの総量に対して、前記少なくとも１種のアミノシラン及び前記少なくとも１種のメルカプトシランに存在する、Ｓｉと結合する前記加水分解性基及びアミノアルコラート基と、Ｓｉと結合する該アミノアルコラート基とのモル比が、１：１〜１０：１の範囲にあることを特徴とする、請求項１〜３のいずれか一項に記載の組成物。
【請求項５】
前記モル比が、１０：５〜１０：２の範囲にあるようなものである、請求項４に記載の組成物。
【請求項６】
前記アミノシランが、式（Ｉ）のアミノシランであり、
【化１】
2016511304.tif 000001
前記メルカプトシランが、式（ＩＩ）のメルカプトシランである、
【化２】
2016511304.tif 000002
（式（Ｉ）及び式（ＩＩ）中、Ｒ１は、少なくとも１つの第一級アミノ基及び／又は第二級アミノ基を有するｎ価の有機ラジカルを表し、Ｒ１’は、少なくとも１つのメルカプト基を有するｍ価の有機ラジカルを表し、Ｒ２及びＲ２’は互いに独立して、１個〜４個のＣ原子を有するアルキル基又はアシル基を表し、Ｒ３及びＲ３’は互いに独立して、Ｈ又は１個〜１０個のＣ原子を有するアルキル基を表し、ａ及びｂは互いに独立して、０、１又は２の値を表し、ｎ及びｍは互いに独立して、１、２、３及び４の値を表す）ことを特徴とする、請求項１〜５のいずれか一項に記載の組成物。
【請求項７】
前記組成物が、水を含む１成分水性組成物、又は、請求項１〜５のいずれか一項に記載の組成物であるシラン成分Ａと、水性成分Ｂとの、水を含有する２成分水性組成物であることを特徴とする、請求項１〜６のいずれか一項に記載の組成物。
【請求項８】
前記組成物が、水を含む１成分水性組成物であることを特徴とする、請求項１〜６のいずれか一項に記載の組成物。
【請求項９】
前記組成物が、少なくとも１種の酸を含み、前記２成分組成物中における該酸が前記水性成分Ｂ中に含まれ、及び／又は前記組成物が少なくとも１種の界面活性剤を含み、前記２成分組成物中において、該界面活性剤が前記シラン成分Ａ中及び／又は前記水性成分Ｂ中に含まれることを特徴とする、請求項７に記載の組成物。
【請求項１０】
前記酸が、有機酸である、請求項９に記載の組成物。
【請求項１１】
少なくとも１種の界面活性剤が前記水性成分Ｂ中に含まれることを特徴とする、請求項９又は１０に記載の組成物。
【請求項１２】
前記組成物が、少なくとも１種の水溶性接着促進剤添加剤を含み、前記２成分組成物中における該水溶性接着促進剤添加剤が前記水性成分Ｂ中に含まれることを特徴とする、請求項７及び９〜１１のいずれか一項に記載の組成物。
【請求項１３】
前記水溶性接着促進剤添加剤が、アミンを含有する水溶性接着促進剤添加剤である、請求項１２に記載の組成物。
【請求項１４】
前記１成分水性組成物が、酸と、少なくとも１種の界面活性剤とを含むことを特徴とする、請求項７又は８に記載の組成物。
【請求項１５】
前記酸が、有機酸である、請求項１４に記載の組成物。
【請求項１６】
さらに水溶性接着促進剤添加剤を含有する、請求項１４又は１５に記載の組成物。
【請求項１７】
前記水溶性接着促進剤添加剤が、アミンを含有する水溶性接着促進剤添加剤である、請求項１６に記載の組成物。
【請求項１８】
前記乳化剤が、ピロリドン及び／又はプロピオンアミドから選択され、前記１成分組成物又は２成分組成物の総重量に対して、ピロリドン及び／又はプロピオンアミドから選択される前記乳化剤の前記相対含有量が、０．１ｗｔ％〜１０ｗｔ％の範囲にあることを特徴とする、請求項１〜１７のいずれか一項に記載の組成物。
【請求項１９】
組成物を製造する方法であって、
ａ）Ｓｉと結合する少なくとも１つの加水分解性基を有する、少なくとも１種のアミノシランと、
ｂ）Ｓｉと結合する少なくとも１つの加水分解性基を有する、少なくとも１種のメルカプトシランと、
ｃ）乳化剤又は乳化剤前駆体として、ピロリドン、プロピオンアミド及びアミノアルコールから選択される、少なくとも１種の化合物と、
を混合させる工程を含み、
少なくとも１種のアミノアルコールを乳化剤前駆体として添加する場合、得られる混合物を加熱して、前記アミノアルコールと、前記アミノシラン及び前記メルカプトシランとを反応させると、前記少なくとも１種のアミノシラン及び前記少なくとも１種のメルカプトシランに存在する前記加水分解性基の少なくとも幾つかが、前記アミノアルコールのアミノアルコラート基で置き換えられるアミノアルコール反応生成物が形成され、また、該反応中に形成される副生成物を該混合物から除去する、組成物を製造する方法。
【請求項２０】
前記アミノアルコール反応生成物の生成に関して、使用されるアミノシランとメルカプトシランとの総量が、使用されるアミノアルコールの量に対して、前記少なくとも１種のアミノシラン及び前記少なくとも１種のメルカプトシランに存在するＳｉと結合する加水分解性基と、前記アミノアルコールに存在する前記ヒドロキシル基とのモル比が、１：１〜１０：１の範囲にあるようなものである、請求項１９に記載の方法。
【請求項２１】
前記モル比が、１０：５〜１０：２の範囲にあるようなものである、請求項２０に記載の方法。
【請求項２２】
水に加えて、少なくとも１種の酸とを含有する水性成分への得られる混合物の添加により、１成分水性組成物を得ることを更に含む、請求項１９〜２１のいずれか一項に記載の方法。
【請求項２３】
前記水性成分が、さらに少なくとも１種の界面活性剤を含有する、請求項２２に記載の方法。
【請求項２４】
前記水性成分が、さらに水溶性接着促進剤添加剤を含有する、請求項２２又は２３に記載の方法。
【請求項２５】
接着促進剤又はプライマーとしての、請求項７〜１８のいずれか一項に記載の水性組成物の使用。
【請求項２６】
接着剤による接合のための前処理剤としての、請求項７〜１８のいずれか一項に記載の水性組成物の使用。
【請求項２７】
前記接着剤が、１Ｋポリウレタン接着剤である、請求項２６に記載の使用。
【請求項２８】
処理すべき基体が、ガラス基体又はガラスセラミック基体である、請求項２５〜２７のいずれか一項に記載の使用。
【請求項２９】
ダイレクトグレージングのための、請求項２５〜２８のいずれか一項に記載の使用。
【請求項３０】
前記ダイレクトグレージングが、自動車製造におけるダイレクトグレージングである、請求項２９に記載の使用。